(57)【要約】  【課題】  無線通信装置の使用者が接続許可の判断を行わずに所望の無線通信端末との近距離無線通信接続を確実に行うことができる無線通信装置および無線通信方法を提供すること。  【解決手段】  無線通信端末１ａおよび１ｂの制御部３０ａおよび３０ｂはそれぞれ、赤外線通信路を確立した状態で自分の近距離無線通信アドレスを送信し（Ｓ１０８、Ｓ１１１）、無線通信端末１ｂおよび１ａは受信する（Ｓ１１０、Ｓ１１３）。無線通信端末１ａが、無線通信端末１ｂの近距離無線通信アドレスを指定して無線通信端末１ｂに近距離無線通信接続要求を行うと（Ｓ１２０）、無線通信端末１ｂの制御部３０ｂは、Ｓ１１０で受信した近距離無線通信アドレスと比較して、接続許可の判断を行う（Ｓ１２２）。【選択図】  図１
2005303947.tif 000002
【特許請求の範囲】
【請求項１】
相手側の無線通信装置と指向性を有する無線通信を行う指向性無線通信部と、
近距離通信用の通信用識別情報を用いて前記相手側無線通信装置と近距離無線通信を行う近距離無線通信部と、
前記指向性無線通信部と前記近距離無線通信部とを制御する制御部と、
を備え、
前記制御部は、
前記相手側無線通信装置と指向性無線通信路を確立するための手段と、
前記指向性無線通信路を介して前記相手側無線通信装置へ前記通信用識別情報を送信するための手段と、
前記相手側無線通信装置から相手側通信用識別情報を受信した場合に、前記相手側通信用識別情報を記憶する手段と、
前記近距離無線通信の接続要求を受けた場合に、前記近距離無線通信接続要求を行った無線通信装置の通信用識別情報と前記記憶された通信用識別情報とを比較して、近距離無線通信接続要求の許可を判断する手段と、
を有する無線通信装置。
【請求項２】
請求項１記載の無線通信装置であって、
前記制御部は、
前記指向性無線通信路を介して前記相手側無線通信装置から近距離無線通信用の認証情報を受信した場合に、前記認証情報を記憶する手段と、
前記認証情報を用いて近距離無線通信の認証を行う手段と、
をさらに有する無線通信装置。
【請求項３】
請求項１または２記載の無線通信装置であって、
前記制御部は、
前記相手側無線通信装置と近距離無線通信を行うための認証情報を生成する手段と、
前記指向性無線通信路を介して前記相手側無線通信装置へ近距離無線通信用の認証情報を送信するための手段と、
前記認証情報を用いて近距離無線通信の認証を行う手段と、
をさらに有する無線通信装置。
【請求項４】
請求項２または３記載の無線通信装置であって、
前記認証情報は、認証を行うときに、認証を行う無線通信装置それぞれに同一のものが要求される情報である無線通信装置。
【請求項５】
請求項１ないし４のいずれか一項記載の無線通信装置であって、
前記通信用識別情報は、前記近距離無線通信部に固有に割当てられた情報である無線通信装置。
【請求項６】
相手側の無線通信装置と指向性を有する無線通信を行う指向性無線通信部と、
近距離通信用の通信用識別情報を用いて前記相手側無線通信装置と近距離無線通信を行う近距離無線通信部と、
前記指向性無線通信部と前記近距離無線通信部とを制御する制御部と、
を備え、
前記制御部は、
相手側無線通信装置と指向性無線通信路を確立するための手段と、
前記指向性無線通信路を介して前記相手側無線通信装置から近距離無線通信用の認証情報を受信した場合に前記認証情報を記憶する手段と、
前記相手側無線通信装置と近距離無線通信路を確立するための手段と、
前記認証情報を用いて近距離無線通信の認証を行う手段と、
を有する無線通信装置。
【請求項７】
請求項６記載の無線通信装置であって、
前記制御部は、
前記相手側無線通信装置と近距離無線通信の認証を行うための認証情報を生成する手段と、
前記指向性無線通信路を介して前記相手側無線通信装置へ前記認証情報を送信するための手段と、
前記認証情報を用いて近距離無線通信の認証を行う手段と、
をさらに有する無線通信方法。
【請求項８】
相手側の無線通信装置と指向性を有する無線通信を行う指向性無線通信部と、
近距離無線通信用識別情報を用いて前記相手側無線通信装置と近距離無線通信を行う近距離無線通信部と、
前記指向性無線通信部と前記近距離無線通信部とを制御する制御部と、
を備え、
前記制御部は、
前記相手側無線通信装置と指向性無線通信路を確立するための手段と、
前記相手側無線通信装置と近距離無線通信の認証を行うための認証情報を生成する手段と、
前記指向性無線通信路を介して前記相手側無線通信装置へ前記認証情報を送信するための手段と、
前記相手側無線通信装置と近距離無線通信路を確立するための手段と、
前記認証情報を用いて近距離無線通信の認証を行う手段と、
を有する無線通信装置。
【請求項９】
請求項６ないし８のいずれか一項記載の無線通信装置であって、
前記認証情報は、認証を行うときに、認証を行う無線通信装置それぞれに同一のものが要求される情報である無線通信装置。
【請求項１０】
請求項１ないし９のいずれか一項記載の無線通信装置であって、前記近距離無線通信は、Ｂｌｕｅｔｏｏｔｈ（登録商標）または無線ＬＡＮであり、所定の範囲内で通信可能である無線通信装置。
【請求項１１】
請求項１ないし１０のいずれか一項記載の無線通信装置であって、前記指向性無線通信は、赤外線通信、可視光線通信および非接触通信のうち、いずれか一つを利用して１対１の通信を行うものである無線通信装置。
【請求項１２】
相手側の無線通信装置と指向性を有する通信を行うための指向性無線通信路を確立するステップと、
前記指向性無線通信路を介して前記相手側無線通信装置へ近距離無線通信用の通信用識別情報を送信するステップと、
前記相手側無線通信装置から相手側通信用識別情報を受信するステップと、
前記受信した相手側通信用識別情報を記憶するステップと、
前記近距離無線通信の接続要求を受けた場合に、前記近距離無線通信接続要求を行った無線通信装置の通信用識別情報と前記記憶した通信用識別情報とを比較して、近距離無線通信接続要求の許可を判断するステップと、
を備える無線通信方法。
【請求項１３】
請求項１２記載の無線通信方法であって、
前記指向性無線通信路を介して前記相手側無線通信装置から近距離無線通信用の認証情報を受信するステップと、
前記認証情報を記憶するステップと、
前記近距離無線通信接続要求を許可する判断がなされた場合に、前記相手側無線通信装置との近距離無線通信の通信路を確立するステップと、
前記認証情報を用いて、前記近距離無線通信路を介して近距離無線通信の認証を行うステップと、
をさらに備える無線通信方法。
【請求項１４】
請求項１２または１３記載の無線通信方法であって、
前記相手側無線通信装置と近距離無線通信を行うための認証情報を生成するステップと、
前記指向性無線通信路を介して前記相手側無線通信装置へ近距離無線通信用の認証情報を送信するステップと、
前記認証情報を用いて近距離無線通信の認証を行うステップと、
をさらに備える無線通信方法。
【請求項１５】
請求項１３または１４記載の無線通信方法であって、前記認証情報は、認証を行うときに、認証を行う無線通信装置それぞれに要求される同一の情報である無線通信方法。
【請求項１６】
請求項１２ないし１５のいずれか一項記載の無線通信方法であって、前記通信用識別情報は、前記近距離無線通信部に固有に割当てられた情報である無線通信方法。
【請求項１７】
相手側の無線通信装置と指向性を有する通信を行うための指向性無線通信路を確立するステップと、
前記指向性無線通信路を介して前記相手側無線通信装置から近距離無線通信用の認証情報を受信するステップと、
前記認証情報を記憶するステップと、
前記相手側無線通信装置と近距離無線通信路を確立するステップと、
前記認証情報を用いて、前記近距離無線通信路を介して近距離無線通信の認証を行うステップと、
を備える無線通信方法。
【請求項１８】
請求項１７記載の無線通信方法であって、
前記相手側無線通信装置と近距離無線通信の認証を行うための認証情報を生成するステップと、
前記指向性無線通信路を介して前記相手側無線通信装置へ前記認証情報を送信するステップと、
前記認証情報を用いて近距離無線通信の認証を行うステップと、
をさらに備える無線通信方法。
【請求項１９】
相手側無線通信装置と指向性無線通信路を確立するステップと、
前記相手側無線通信装置と近距離無線通信の認証を行うための認証情報を生成するステップと、
前記指向性無線通信路を介して前記相手側無線通信装置へ前記認証情報を送信するステップと、
前記相手側無線通信装置と近距離無線通信路を確立するステップと、
前記認証情報を用いて、前記近距離無線通信路を介して近距離無線通信の認証を行うステップと、
を備える無線通信方法。
【請求項２０】
請求項１７ないし１９のいずれか一項記載の無線通信方法であって、前記認証情報は、認証を行うときに、認証を行う無線通信装置それぞれに要求される同一の情報である無線通信方法。
【請求項２１】
請求項１２ないし２０のいずれか一項記載の無線通信方法であって、前記近距離無線通信は、Ｂｌｕｅｔｏｏｔｈ（登録商標）または無線ＬＡＮであり、所定の範囲内で通信可能である無線通信方法。
【請求項２２】
請求項１２ないし２１のいずれか一項記載の無線通信方法であって、前記指向性無線通信は、赤外線通信、可視光線通信および非接触通信のうち、いずれか一つを利用して１対１の通信を行うものである無線通信方法。
【発明の詳細な説明】
【技術分野】
【０００１】
本発明は、近距離無線通信等が可能な無線通信装置および無線通信方法に関する。
【背景技術】
【０００２】
近年、無線通信機能を搭載した情報端末と、無線通信機能を搭載した他の情報端末との間で直接無線通信を行う方法が提案がされている。このような無線通信機能搭載端末（以下「無線通信端末」という。）では、コネクタによるケーブル接続のかわりに無線通信による接続を用いることで、通信用ケーブルが不必要になり、接続が簡易になる。
【０００３】
ただし、これらの無線通信端末は、電波は放射状に伝播するため、電波の到達する範囲内に存在する全ての端末がその無線通信の接続対象になり得てしまうことから、これらの中から任意の通信相手を識別し、特定して通信を開始する機能が必要である。
【０００４】
例えば無線通信機能としてＢｌｕｅｔｏｏｔｈ（登録商標）を使用した無線通信装置が提案されている。この無線通信機能は、１台対複数台の接続が可能な簡易型の通信技術である。
【０００５】
この通信方式では、複数の無線通信端末を含むグループの中から、一つの無線通信端末に制御機能が与えられる。この制御機能を担う無線通信端末をマスタと呼び、その他はスレーブと呼ばれる。
【０００６】
そして、２つの無線通信端末が通信接続を確立するためには、以下の４つのステップが必要になる。
【０００７】
（１）マスタとなる端末がｉｎｑｕｉｒｙ操作を行い、周りのＢｌｕｅｔｏｏｔｈ装置を探索する。
【０００８】
（２）スレーブとなる端末がマスタのｉｎｑｕｉｒｙ操作で探索されるためにｉｎｑｕｉｒｙ  ｓｃａｎ動作を行い、マスタの要求を受信した場合、スレーブのＢｌｕｅｔｏｏｔｈアドレス（ＦＨＳパケット）を送信する。
【０００９】
（３）マスタとなる端末がｉｎｑｕｉｒｙ操作で見つけた端末のリスト（Ｂｌｕｅｔｏｏｔｈ（登録商標）では電力クラスが３の場合、半径１０ｍ以内でｉｎｑｕｉｒｙ  ｓｃａｎを行っている端末が他にあれば、接続したい端末以外もリストにあがる）から接続したい端末を選び、接続したい端末に対して接続要求を行う（ｐａｇｅ）。
【００１０】
（４）スレーブとなる端末はｐａｇｅ  ｓｃａｎを行い、ｐａｇｅ  ｓｃａｎ中に接続要求を受けると、要求を受けた端末に対して接続の許可をするか判断する。
【００１１】
上述のような近距離無線通信における通信方法において、例えば特許文献１に記載されたものがあった。この無線通信方法では、無線通信端末Ａが指向性無線通信手段を用いて近距離無線通信接続を行いたい無線通信端末Ｂより、直接無線通信端末Ｂの近距離無線通信用ＩＤを取得する。そして、その無線通信端末Ｂの近距離無線通信用ＩＤを用いて、無線通信端末Ａは、無線通信端末Ｂを指定して接続することができる。
【００１２】
さらに指向性無線通信で近距離無線通信用ＩＤを取得することができるために、無線通信端末Ａは、多数の近距離無線通信端末が周囲に存在しても、特定の端末を指定して接続することができる。
【００１３】
しかしながら、上記従来の無線通信端末および無線通信方法にあっては、無線通信端末Ｂは無線通信端末Ａから無線通信端末Ｂの無線通信用ＩＤを利用した無線接続要求信号を受信して無線接続応答指示を行って無線伝送路を確立するものとなっていたため、無線通信端末Ｂにとっては、無線通信端末Ａ以外の望まない端末からの無線接続要求信号を受信する可能性もあり、誤接続を防ぐには接続要求を行った無線通信端末に対して利用者が接続許可を行う必要があった。
【００１４】
さらに、誤接続防止および盗聴防止のために、必要に応じて認証を用いた通信を行った場合、各々の端末で認証用コード等の識別情報を入力する必要があった。
【特許文献１】特開２００２−６３６５２号公報
【発明の開示】
【発明が解決しようとする課題】
【００１５】
本発明は、上記従来の事情に鑑みてなされたものであって、無線通信装置の使用者が接続許可の判断を行わずに所望の無線通信端末との近距離無線通信接続を確実に行うことができる無線通信装置および無線通信方法を提供することを目的とする。
【００１６】
また、本発明は、認証用の識別情報の入力を不要とする近距離無線通信等が可能な無線通信装置および無線通信方法を提供することを目的とする。
【課題を解決するための手段】
【００１７】
本発明の無線通信装置は、
相手側の無線通信装置と指向性を有する無線通信を行う指向性無線通信部と、
近距離通信用の通信用識別情報を用いて前記相手側無線通信装置と近距離無線通信を行う近距離無線通信部と、
前記指向性無線通信部と前記近距離無線通信部とを制御する制御部と、
を備え、
前記制御部は、
前記相手側無線通信装置と指向性無線通信路を確立するための手段と、
前記指向性無線通信路を介して前記相手側無線通信装置へ前記通信用識別情報を送信するための手段と、
前記相手側無線通信装置から相手側通信用識別情報を受信した場合に、前記相手側通信用識別情報を記憶する手段と、
前記近距離無線通信の接続要求を受けた場合に、前記近距離無線通信接続要求を行った無線通信装置の通信用識別情報と前記記憶された通信用識別情報とを比較して、近距離無線通信接続要求の許可を判断する手段と、
を有する。
【００１８】
この構成により、無線通信装置の使用者が接続許可の判断を行わずに所望の無線通信端末との近距離無線通信接続を確実に行うことができる無線通信装置を提供することができる。
【００１９】
また、前記制御部は、
前記指向性無線通信路を介して前記相手側無線通信装置から近距離無線通信用の認証情報を受信した場合に、前記認証情報を記憶する手段と、
前記認証情報を用いて近距離無線通信の認証を行う手段と、
をさらに有する。
【００２０】
この構成により、認証用の識別情報の入力を不要とする無線通信装置を提供することができる。
【００２１】
また、前記制御部は、
前記相手側無線通信装置と近距離無線通信を行うための認証情報を生成する手段と、
前記指向性無線通信路を介して前記相手側無線通信装置へ近距離無線通信用の認証情報を送信するための手段と、
前記認証情報を用いて近距離無線通信の認証を行う手段と、
をさらに有する。
【００２２】
この構成により、認証用の識別情報の入力を不要とする無線通信装置を提供することができる。
【００２３】
また、前記認証情報は、認証を行うときに、認証を行う無線通信装置それぞれに同一のものが要求される情報である。
【００２４】
この構成により、たとえば、Ｂｌｕｅｔｏｏｔｈ（登録商標）であればＰＩＮコード等、無線ＬＡＮであればＥＳＳ−ＩＤ（Extended Service Set Identification）等の認証情報を利用することができる。
【００２５】
また、前記通信用識別情報は、前記近距離無線通信部に固有に割当てられた情報である。
【００２６】
この構成により、通信用識別情報は近距離無線通信部固有に割当てられているため、所望の接続先を適切に指定することができる。
【００２７】
また、本発明の無線通信装置は、
相手側の無線通信装置と指向性を有する無線通信を行う指向性無線通信部と、
近距離通信用の通信用識別情報を用いて前記相手側無線通信装置と近距離無線通信を行う近距離無線通信部と、
前記指向性無線通信部と前記近距離無線通信部とを制御する制御部と、
を備え、
前記制御部は、
相手側無線通信装置と指向性無線通信路を確立するための手段と、
前記指向性無線通信路を介して前記相手側無線通信装置から近距離無線通信用の認証情報を受信した場合に前記認証情報を記憶する手段と、
前記相手側無線通信装置と近距離無線通信路を確立するための手段と、
前記認証情報を用いて近距離無線通信の認証を行う手段と、
を有する。
【００２８】
この構成により、認証用の識別情報の入力を不要とする無線通信装置を提供することができる。
【００２９】
また、前記制御部は、
前記相手側無線通信装置と近距離無線通信の認証を行うための認証情報を生成する手段と、
前記指向性無線通信路を介して前記相手側無線通信装置へ前記認証情報を送信するための手段と、
前記認証情報を用いて近距離無線通信の認証を行う手段と、
をさらに有する。
【００３０】
この構成により、認証用の識別情報の入力を不要とする無線通信装置を提供することができる。
【００３１】
本発明の無線通信装置は、
相手側の無線通信装置と指向性を有する無線通信を行う指向性無線通信部と、
近距離無線通信用識別情報を用いて前記相手側無線通信装置と近距離無線通信を行う近距離無線通信部と、
前記指向性無線通信部と前記近距離無線通信部とを制御する制御部と、
を備え、
前記制御部は、
前記相手側無線通信装置と指向性無線通信路を確立するための手段と、
前記相手側無線通信装置と近距離無線通信の認証を行うための認証情報を生成する手段と、
前記指向性無線通信路を介して前記相手側無線通信装置へ前記認証情報を送信するための手段と、
前記相手側無線通信装置と近距離無線通信路を確立するための手段と、
前記認証情報を用いて近距離無線通信の認証を行う手段と、
を有する。
【００３２】
この構成により、認証用の識別情報の入力を不要とする無線通信装置を提供することができる。
【００３３】
また、前記認証情報は、認証を行うときに、認証を行う無線通信装置それぞれに同一のものが要求される情報である。
【００３４】
この構成により、たとえば、近距離無線通信方式がＢｌｕｅｔｏｏｔｈ（登録商標）であればＰＩＮコード等、無線ＬＡＮであればＥＳＳ−ＩＤ（Extended Service Set Identification）等の認証情報を利用することができる。
【００３５】
また、前記近距離無線通信は、Ｂｌｕｅｔｏｏｔｈ（登録商標）または無線ＬＡＮであり、所定の範囲内で通信可能である。
【００３６】
この構成により、Ｂｌｕｅｔｏｏｔｈ（登録商標）や無線ＬＡＮ等の近距離無線通信を利用することができる。
【００３７】
また、前記指向性無線通信は、赤外線通信、可視光線通信および非接触通信のうち、いずれか一つを利用して１対１の通信を行うものである。
【００３８】
この構成により、１対１の通信を行うので、所望の通信相手と、近距離通信識別情報または認証情報等の送受信を安全かつ確実に行うことができる。
【００３９】
本発明の無線通信方法は、相手側の無線通信装置と指向性を有する通信を行うための指向性無線通信路を確立するステップと、
前記指向性無線通信路を介して前記相手側無線通信装置へ近距離無線通信用の通信用識別情報を送信するステップと、
前記相手側無線通信装置から相手側通信用識別情報を受信するステップと、
前記受信した相手側通信用識別情報を記憶するステップと、
前記近距離無線通信の接続要求を受けた場合に、前記近距離無線通信接続要求を行った無線通信装置の通信用識別情報と前記記憶した通信用識別情報とを比較して、近距離無線通信接続要求の許可を判断するステップと、
を備える。
【００４０】
この方法により、無線通信装置の使用者が接続許可の判断を行わずに所望の無線通信端末との近距離無線通信接続を確実に行うことができる無線通信方法を提供することができる。
【００４１】
また、本発明の無線通信方法は、
前記指向性無線通信路を介して前記相手側無線通信装置から近距離無線通信用の認証情報を受信するステップと、
前記認証情報を記憶するステップと、
前記近距離無線通信接続要求を許可する判断がなされた場合に、前記相手側無線通信装置との近距離無線通信の通信路を確立するステップと、
前記認証情報を用いて、前記近距離無線通信路を介して近距離無線通信の認証を行うステップと、
をさらに備える。
【００４２】
この方法により、認証用の識別情報の入力を不要とする無線通信方法を提供することができる。
【００４３】
また、本発明の無線通信方法は、
前記相手側無線通信装置と近距離無線通信を行うための認証情報を生成するステップと、
前記指向性無線通信路を介して前記相手側無線通信装置へ近距離無線通信用の認証情報を送信するステップと、
前記認証情報を用いて近距離無線通信の認証を行うステップと、
をさらに備える。
【００４４】
この方法により、認証用の識別情報の入力を不要とする認証用の識別情報の入力を不要とする無線通信方法を提供することができる。
【００４５】
また、前記認証情報は、認証を行うときに、認証を行う無線通信装置それぞれに要求される同一の情報である。
【００４６】
この方法により、たとえば、Ｂｌｕｅｔｏｏｔｈ（登録商標）であればＰＩＮコード等、無線ＬＡＮであればＥＳＳ−ＩＤ（Extended Service Set Identification）等の認証情報を利用することができる。
【００４７】
また、前記通信用識別情報は、前記近距離無線通信部に固有に割当てられた情報である。
【００４８】
この方法により、通信用識別情報は近距離無線通信部固有に割当てられているため、所望の接続先を適切に指定することができる。
【００４９】
本発明の無線通信方法は、
相手側の無線通信装置と指向性を有する通信を行うための指向性無線通信路を確立するステップと、
前記指向性無線通信路を介して前記相手側無線通信装置から近距離無線通信用の認証情報を受信するステップと、
前記認証情報を記憶するステップと、
前記相手側無線通信装置と近距離無線通信路を確立するステップと、
前記認証情報を用いて、前記近距離無線通信路を介して近距離無線通信の認証を行うステップと、
を備える。
【００５０】
この方法により、認証用の識別情報の入力を不要とする無線通信方法を提供することができる。
【００５１】
また、本発明の無線通信方法は、
前記相手側無線通信装置と近距離無線通信の認証を行うための認証情報を生成するステップと、
前記指向性無線通信路を介して前記相手側無線通信装置へ前記認証情報を送信するステップと、
前記認証情報を用いて近距離無線通信の認証を行うステップと、
をさらに備える。
【００５２】
この方法により、認証用の識別情報の入力を不要とする認証用の識別情報の入力を不要とする無線通信方法を提供することができる。
【００５３】
本発明の無線通信方法は、
相手側無線通信装置と指向性無線通信路を確立するステップと、
前記相手側無線通信装置と近距離無線通信の認証を行うための認証情報を生成するステップと、
前記指向性無線通信路を介して前記相手側無線通信装置へ前記認証情報を送信するステップと、
前記相手側無線通信装置と近距離無線通信路を確立するステップと、
前記認証情報を用いて、前記近距離無線通信路を介して近距離無線通信の認証を行うステップと、
を備える。
【００５４】
この方法により、認証用の識別情報の入力を不要とする認証用の識別情報の入力を不要とする無線通信方法を提供することができる。
【００５５】
また、前記認証情報は、認証を行うときに、認証を行う無線通信装置それぞれに要求される同一の情報である。
【００５６】
この方法により、たとえば、近距離無線通信方式がＢｌｕｅｔｏｏｔｈ（登録商標）であればＰＩＮコード等、無線ＬＡＮであればＥＳＳ−ＩＤ（Extended Service Set Identification）等の認証情報を利用することができる。
【００５７】
また、前記近距離無線通信は、Ｂｌｕｅｔｏｏｔｈ（登録商標）または無線ＬＡＮであり、所定の範囲内で通信可能である。
【００５８】
この方法により、Ｂｌｕｅｔｏｏｔｈ（登録商標）や無線ＬＡＮ等の近距離無線通信を利用することができる。
【００５９】
また、前記指向性無線通信は、赤外線通信、可視光線通信および非接触通信のうち、いずれか一つを利用して１対１の通信を行うものである。
【００６０】
この方法により、１対１の通信を行うので、所望の通信相手と、近距離通信識別情報または認証情報等の送受信を安全かつ確実に行うことができる。
【発明の効果】
【００６１】
本発明によれば、無線通信装置の使用者が接続許可の判断を行わずに所望の無線通信端末との近距離無線通信接続を確実に行うことができる無線通信装置および無線通信方法を提供することができる。
また、認証用の識別情報の入力を不要とする近距離無線通信等が可能な無線通信装置および無線通信方法を提供することができる。
【発明を実施するための最良の形態】
【００６２】
図３は、本発明の実施形態を説明するための無線通信端末を示す概略構成図である。この無線通信端末としては、携帯電話機や、通信機能を備えた携帯情報端末（ＰＤＡ）またはノートパソコン等の種々の無線通信装置であり、図３では、本実施形態に関連する部分のみを概念的に示している。
【００６３】
ここで、本実施形態では、近距離無線通信の方式としてＢｌｕｅｔｏｏｔｈ（登録商標）が用いられた場合を例にとって説明する。
【００６４】
図３に示すように、本実施形態の無線通信端末１は、赤外線通信部１０と、近距離無線通信部２０と、赤外線通信部１０および近距離無線通信部２０の制御を行う制御部１３とを備える。
【００６５】
制御部１３は、主に赤外線通信において用いられる赤外線通信路確立手段３１と赤外線通信路を用いて近距離無線通信部用ＩＤである近距離無線通信アドレスを送受信する近距離無線通信アドレス送受信手段３２と認証情報の一例としてのＰＩＮコード送受信手段３３とを備えている。さらに、制御部１３は、受信した近距離無線通信アドレスとＰＩＮコードとを記憶する記憶保持部３４を備えている。
【００６６】
また制御部１３は、主に近距離無線通信においては用いられる、近距離無線通信アドレス送受信手段３２で取得した近距離無線通信アドレスを用いて、所望の無線通信端末を直接指定して接続を要求する近距離無線通信接続要求手段３５と、接続要求を受けた端末に対して赤外線通信で取得した近距離無線通信アドレスと接続要求を行った近距離無線通信アドレスを比較して接続許可を判断する接続許可判断手段３６と、認証を行う認証手段３７と、ＰＩＮコードをランダムに自動生成する認証コード自動生成手段であるＰＩＮコード自動生成手段３８とを備えている。
【００６７】
図１は、本実施形態の無線通信方法において近距離無線通信接続路を確立するまでを説明するためのシーケンス図である。ここでは、無線通信端末１ａと無線通信端末１ｂとの間において近距離無線通信を行う場合について説明する。なお、無線通信端末１ａおよび無線通信端末１ｂは、図３で説明した無線通信端末１と同様の構成を有する。また、無線通信端末１ａまたは無線通信端末１ｂが有する手段の符号は、図３で説明した無線通信端末の各々の符号の末尾に「ａ」または「ｂ」を追加したものとする。
【００６８】
近距離無線通信を行うためには端末固有の近距離無線通信アドレスの取得が必要である。本実施形態の無線通信方法では、この近距離無線通信アドレスの取得を、赤外線通信を用いて行う。
【００６９】
まず、赤外線通信は指向性を有した通信であるため、赤外線通信を行うためには、赤外線通信部１０ａを無線通信端末同士で向け合う必要がある。しかしながら、指向性を有する通信を採用することにより、近距離無線通信の通信範囲内に存在する不特定多数の無線通信端末と接続することなく、所望の無線通信端末に対して通信を行うことができる。
【００７０】
赤外線通信路を確立するために、無線通信端末１ａの制御部３０ａは赤外線通信部１０ａに赤外線通信指示（Ｓ１０１）を行う。赤外線通信部１０ａは、無線通信端末１ｂの赤外線通信部１０ｂに赤外線通信接続要求を行い（Ｓ１０２）、赤外線通信部１０ｂは制御部３０ｂに赤外線通信接続要求通知を行う（Ｓ１０３）。
【００７１】
制御部３０ｂは、赤外線通信部１０ｂに赤外線通信接続応答指示を行い（Ｓ１０４）、赤外線通信部１０ａと赤外線通信部１０ｂとの間で赤外線通信路確立処理を行う（Ｓ１０５）。そして、赤外線通信路が確立すると、赤外線通信部１０ａおよび赤外線通信部１０ｂはそれぞれ制御部３０ａおよび制御部３０ｂに赤外線接続完了通知を行う（Ｓ１０６、Ｓ１０７）。
【００７２】
次に、赤外線通信路が確立している状態で、制御部３０ａは、無線通信端末１ａの近距離無線通信アドレスを赤外線通信部１０ａに通知し（Ｓ１０８）、赤外線通信部１０ａは無線通信端末１ａの近距離無線通信アドレスを赤外線通信部１０ｂに送信する（Ｓ１０９）。赤外線通信部１０ｂは、受信した近距離無線通信アドレスを制御部３０ｂに送信する（Ｓ１１０）。制御部３０ｂでは、記憶保持部３４ｂにて通信相手である無線通信端末１ａの近距離無線通信アドレスを記憶する。
【００７３】
また、制御部３０ｂは、無線通信端末１ｂ固有の近距離無線通信アドレスを赤外線通信部１０ｂに通知し（Ｓ１１１）、赤外線通信部１０ｂは無線通信端末１ｂの近距離無線通品ドレスを赤外線通信部１０ａに送信する（Ｓ１１２）。赤外線通信部１０ａは、受信した近距離無線通信アドレスを制御部３０ａに送信する（Ｓ１１３）。制御部３０ａでは、記憶保持部３４ａにて通信相手である無線通信端末１ｂの近距離無線通信アドレスを記憶する。
【００７４】
また、赤外線通信路が確立している状態で、制御部３０ａは、ＰＩＮコード自動生成手段３８ａでＰＩＮコードを自動生成する（Ｓ１１４）。そして、制御部３０ａのＰＩＮコード送受信手段３３は、自動生成されたＰＩＮコードを赤外線通信部１０ａに通知し（Ｓ１１５）、赤外線通信部１０ａはＰＩＮコードを赤外線通信部１０ｂに送信する（Ｓ１１６）。赤外線通信部１０ｂは、受信したＰＩＮコードを制御部３０ｂに送信する（Ｓ１１７）。制御部３０ｂでは、記憶保持部３４ｂにてＰＩＮコードを記憶する。
【００７５】
ここで、ＰＩＮコードは、近距離無線通信において認証を行うための認証情報であり、例えば暗証番号等が用いられる。そして、無線通信端末１ａと無線通信端末１ｂとの間で認証を行なう場合、無線通信端末１ａおよび無線通信端末１ｂの双方にＰＩＮコードの入力が要求され、たとえば両者が一致する場合に認証が成立するものである。
【００７６】
本実施形態では、使用者がＰＩＮコードを入力せずにＰＩＮコード自動生成手段３８が行っているため、認証を行うための無線通信端末のそれぞれの使用者がＰＩＮコードを入力する必要がないため、認証作業が容易となる。また、指向性を有する通信を介して認証作業を行うため、対象となる無線通信端末以外と通信する可能性が低く、安全かつ確実に認証動作を行うことができる。
【００７７】
なお、図１に示すように、無線通信端末１ａは、近距離通信アドレスとＰＩＮコードを同時に送信してもよい。また、Ｓ１１４のＰＩＮコードを自動生成するタイミングに関しては、ＰＩＮコードを送信する前であればいつでもよい。
【００７８】
次に、近距離無線通信路を確立するために無線通信端末１ｂの制御部３０ｂは近距離無線通信スキャン指示を近距離無線通信部２０ｂに対して行い、ｐａｇｅスキャン動作を行う（ステップ１１８）。一方、無線通信端末１ａの制御部３０ａは赤外線通信で取得した無線通信端末１ｂの近距離無線通信アドレスを用いて、近距離無線通信部２０ａに近距離無線通信接続指示を行う（Ｓ１１９）。近距離無線通信部２０ａは無線通信端末１ｂの制御部２０ｂに接続要求（ｐａｇｅ）を行う（Ｓ１２０）。
【００７９】
無線通信端末１ｂは、ｐａｇｅスキャン動作中に無線通信端末１ａからＳ１２０の接続要求を受けると、近距離無線通信部２０ｂは制御部３０ｂに近距離無線通信接続要求通知を行う（Ｓ１２１）。制御部接続要求を受けた無線通信端末１ｂは、接続要求をしている端末がＳ１００〜１１４で赤外線通信を行った端末であることを判断するためにステップ１０８で取得した近距離無線通信アドレスと接続要求をしている端末の近距離無線通信アドレスを比較し、接続許可の判断を行う（Ｓ１２２）。そして、それらのアドレスが同一であれば接続を許可する。
【００８０】
制御部３０ｂは、Ｓ１２２の許可の判断に応じて、近距離無線通信部２０ｂに近距離無線通信接続応答指示を行い（Ｓ１２３）、近距離無線通信部２０ａと近距離無線通信部２０ｂとの間で近距離無線通信路確立処理を行う（Ｓ１２４）。そして、近距離無線通信路が確立すると、近距離無線通信部２０ａおよび近距離無線通信部２０ｂはそれぞれ制御部３０ａおよび制御部３０ｂに近距離無線接続完了通知を行う（Ｓ１２５、Ｓ１２６）。
【００８１】
図２は、本実施形態の無線通信方法におけるの認証動作を説明するためのシーケンス図である。図２に示すように、近距離無線通信路が確立している状態（Ｓ１２４）で、制御部１ａは無線通信端末１ｂに対する近距離無線通信認証指示を近距離無線通信部２０ａに行うと（Ｓ１２７）、無線通信端末１ａの近距離無線通信部２０ａは、無線通信端末１ｂの近距離無線通信ｂ２０ｂへ近距離無線通信認証要求を行う（Ｓ１２８）ことで、無線端末１ａと無線端末１ｂとの間で、認証動作がなされる（Ｓ１２９）。ここで、制御部３０ａは、Ｓ１１４で生成したＰＩＮコードを用いて認証指示を行う。
【００８２】
近距離無線通信部２０ｂは、近距離無線通信認証要求を受けると、制御部３０ｂに近距離無線通信認証要求通知を行う（Ｓ１３０）。制御部３０ｂの認証手段３７ｂは、図１のＳ１１７で受信して記憶保持部３４ｂに記憶されたＰＩＮコードと比較して、近距離無線通信認証要求応答を近距離無線通信部２０ｂに送信する（Ｓ１３１）。
【００８３】
このようにして、認証動作を行うことができる。この認証動作が完了すると、近距離無線通信部２０ａおよび近距離無線通信部２０ｂは制御部３０ａおよび制御部３０ｂにそれぞれ認証完了通知を送信する（Ｓ１３２、Ｓ１３３）。
【００８４】
このような本発明の実施形態の無線通信装置および無線通信方法によれば、赤外線通信指示（ステップ１００）のみ無線通信端末使用者が指示すれば（無線通信端末の赤外線通信部が常時受信状態の時）近距離無線通信の認証までが可能になる。
【００８５】
なお、以上の説明では無線通信端末１ａと１ｂとの間の赤外線通信は、指向性無線通信の一例として説明した。しかしながら、上述の指向性無線通信は、赤外線通信のほか、可視光線通信、非接触ＩＣ等の非接触通信等を利用した通信でも同様に実施が可能である。また、指向性を有する無線通信により、通信相手を使用者が分かりやすく限定することが可能であるとともに、他者から通信内容を読み取られる恐れが少ないため、安全かつ確実に所望の通信相手と通信を行うことができる。
【００８６】
なお、以上の説明では近距離無線通信部をＢｌｕｅｔｏｏｔｈ（登録商標）とした例で説明したが、特定の範囲内で通信する無線通信手段であれば良く、その無線ＬＡＮ（ＩＥＥＥ８０２．１１）でも同様に実施が可能である。
【００８７】
ここで、近距離無線通信アドレスは、例えば、Ｂｌｕｅｔｏｏｔｈ（登録商標）ではＢｌｕｅｔｏｏｔｈアドレスが、無線ＬＡＮではＭＡＣアドレスがそれぞれ対応する。また、認証コードは、例えば、Ｂｌｕｅｔｏｏｔｈ（登録商標）ではＰＩＮコードが、無線ＬＡＮではＥＳＳ−ＩＤ（Extended Service Set Identifier）がそれぞれ対応する。
【産業上の利用可能性】
【００８８】
本発明は、無線通信装置の使用者が接続許可の判断を行わずに所望の無線通信端末との近距離無線通信接続を確実に行うことができる効果を有し、携帯電話や通信機能を備えた情報端末等の無線通信装置および無線通信方法等に有用である。
また、本発明は、認証用の識別情報の入力を不要とする効果を有し、携帯電話や通信機能を備えた情報端末等の無線通信装置および無線通信方法等に有用である。
【図面の簡単な説明】
【００８９】
【図１】本実施形態の無線通信方法において近距離無線通信接続路を確立するまでを説明するためのシーケンス図
【図２】本実施形態の無線通信方法におけるの認証動作を説明するためのシーケンス図
【図３】本発明の実施形態を説明するための無線通信端末を示す概略構成図
【符号の説明】
【００９０】
１  無線通信端末
１０  赤外線通信部
２０  近距離無線通信部
３０  制御部
３１  赤外線通信路確立手段
３２  近距離無線通信アドレス送受信手段
３３  ＰＩＮコード送受信手段
３４  記憶保持部
３５  近距離無線通信接続要求手段
３６  接続許可判断手段
３７  認証手段
３８  ＰＩＮコード自動生成手段
【図１】
2005303947.tif 000003
【図２】
2005303947.tif 000004
【図３】
2005303947.tif 000005